【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
オブジェクトを描画する描画機能を具備するとともに、表示装置に表示されたデータをファイルとして取り込むキャプチャ機能を備えた情報処理装置において、
スクリーンデータと描画オブジェクトとをキャプチャデータとして記憶装置に保存するとともに、キャプチャの時間的順位を示す順位情報を前記キャプチャデータに対応付けて前記記憶装置に保存する保存手段と、
キャプチャデータを指定されると、該指定されたキャプチャデータを構成するスクリーンデータおよび描画オブジェクトを前記記憶装置から読み出して、該スクリーンデータと該描画オブジェクトとを合成して前記表示装置に表示する表示手段と
を有することを特徴とする情報処理装置。
【請求項２】
任意のキャプチャデータを構成する描画オブジェクトに対して編集が行われたとき、該編集と同一の編集が行われるべき範囲として、前記順位情報に基づき指定された検索対象範囲を受け取る受取手段と、
前記記憶装置に保存されたキャプチャデータのうち、前記受取手段によって受け取られた検索対象範囲内にあるキャプチャデータを抽出する抽出手段と、
前記抽出手段によって抽出されたキャプチャデータをそれぞれ構成する描画オブジェクトのうち、前記任意のキャプチャデータを構成する描画オブジェクトと類似する描画オブジェクトを検出する検出手段と、
前記検出手段によって検出された描画オブジェクトに対して、前記任意のキャプチャデータを構成する描画オブジェクトに対して行われた編集と同一の編集を行う編集手段と
を更に有することを特徴とする請求項１記載の情報処理装置。
【請求項３】
前記記憶装置に保存されたキャプチャデータをそれぞれ構成する描画オブジェクトにおける互いの派生関係を記述したテーブルを作成する作成手段を更に有し、
前記検出手段は、前記作成手段によって作成されたテーブルを参照して、前記類似する描画オブジェクトを検出することを特徴とする請求項２記載の情報処理装置。
【請求項４】
前記検出手段は、
前記抽出手段によって抽出されたキャプチャデータをそれぞれ構成する描画オブジェクトの各々と、前記任意のキャプチャデータを構成する描画オブジェクトとの間の各類似度を算出する類似度算出手段と、
前記抽出手段によって抽出されたキャプチャデータの描画オブジェクトの中で、前記類似度算出手段によって算出された各類似度のうち所定値以上である類似度をもつ描画オブジェクトを、前記類似する描画オブジェクトとして検出する類似オブジェクト検出手段と
を含むことを特徴とする請求項２記載の情報処理装置。
【請求項５】
オブジェクトを描画する描画機能を具備するとともに、表示装置に表示されたデータをファイルとして取り込むキャプチャ機能を備えた情報処理装置に適用される描画オブジェクト編集方法において、
スクリーンデータと描画オブジェクトとをキャプチャデータとして記憶装置に保存するとともに、キャプチャの時間的順位を示す順位情報を前記キャプチャデータに対応付けて前記記憶装置に保存する保存ステップと、
キャプチャデータを指定されると、該指定されたキャプチャデータを構成するスクリーンデータおよび描画オブジェクトを前記記憶装置から読み出して、該スクリーンデータと該描画オブジェクトとを合成して前記表示装置に表示する表示ステップと
を有することを特徴とする描画オブジェクト編集方法。
【請求項６】
任意のキャプチャデータを構成する描画オブジェクトに対して編集が行われたとき、該編集と同一の編集が行われるべき範囲として、前記順位情報に基づき指定された検索対象範囲を受け取る受取ステップと、
前記記憶装置に保存されたキャプチャデータのうち、前記受取ステップによって受け取られた検索対象範囲内にあるキャプチャデータを抽出する抽出ステップと、
前記抽出ステップによって抽出されたキャプチャデータをそれぞれ構成する描画オブジェクトのうち、前記任意のキャプチャデータを構成する描画オブジェクトと類似する描画オブジェクトを検出する検出ステップと、
前記検出ステップによって検出された描画オブジェクトに対して、前記任意のキャプチャデータを構成する描画オブジェクトに対して行われた編集と同一の編集を行う編集ステップと
を更に有することを特徴とする請求項５記載の描画オブジェクト編集方法。
【請求項７】
前記記憶装置に保存されたキャプチャデータをそれぞれ構成する描画オブジェクトにおける互いの派生関係を記述したツリーを作成する作成ステップを更に有し、
前記検出ステップは、前記作成ステップによって作成されたツリーを参照して、前記類似する描画オブジェクトを検出することを特徴とする請求項６記載の描画オブジェクト編集方法。
【請求項８】
前記検出ステップは、
前記抽出ステップによって抽出されたキャプチャデータをそれぞれ構成する描画オブジェクトの各々と、前記任意のキャプチャデータを構成する描画オブジェクトとの間の各類似度を算出する類似度算出ステップと、
前記抽出ステップによって抽出されたキャプチャデータの描画オブジェクトの中で、前記類似度算出ステップによって算出された各類似度のうち所定値以上である類似度をもつ描画オブジェクトを、前記類似する描画オブジェクトとして検出する類似オブジェクト検出ステップと
を含むことを特徴とする請求項６記載の描画オブジェクト編集方法。
【請求項９】
オブジェクトを描画する描画機能を具備するとともに、表示装置に表示されたデータをファイルとして取り込むキャプチャ機能を備えた情報処理装置に適用される描画オブジェクト編集方法を、コンピュータに実行させるためのプログラムにおいて、
スクリーンデータと描画オブジェクトとをキャプチャデータとして記憶装置に保存するとともに、キャプチャの時間的順位を示す順位情報を前記キャプチャデータに対応付けて前記記憶装置に保存する保存ステップと、
キャプチャデータを指定されると、該指定されたキャプチャデータを構成するスクリーンデータおよび描画オブジェクトを前記記憶装置から読み出して、該スクリーンデータと該描画オブジェクトとを合成して前記表示装置に表示する表示ステップと
を有することを特徴とするプログラム。
【請求項１０】
任意のキャプチャデータを構成する描画オブジェクトに対して編集が行われたとき、該編集と同一の編集が行われるべき範囲として、前記順位情報に基づき指定された検索対象範囲を受け取る受取ステップと、
前記記憶装置に保存されたキャプチャデータのうち、前記受取ステップによって受け取られた検索対象範囲内にあるキャプチャデータを抽出する抽出ステップと、
前記抽出ステップによって抽出されたキャプチャデータをそれぞれ構成する描画オブジェクトのうち、前記任意のキャプチャデータを構成する描画オブジェクトと類似する描画オブジェクトを検出する検出ステップと、
前記検出ステップによって検出された描画オブジェクトに対して、前記任意のキャプチャデータを構成する描画オブジェクトに対して行われた編集と同一の編集を行う編集ステップと
を更に有することを特徴とする請求項９記載のプログラム。
【手続補正２】
【補正対象書類名】明細書
【補正対象項目名】０００８
【補正方法】変更
【補正の内容】
【０００８】
上記目的を達成するために、請求項１記載の発明によれば、オブジェクトを描画する描画機能を具備するとともに、表示装置に表示されたデータをファイルとして取り込むキャプチャ機能を備えた情報処理装置において、スクリーンデータと描画オブジェクトとをキャプチャデータとして記憶装置に保存するとともに、キャプチャの時間的順位を示す順位情報を前記キャプチャデータに対応付けて前記記憶装置に保存する保存手段と、キャプチャデータを指定されると、該指定されたキャプチャデータを構成するスクリーンデータおよび描画オブジェクトを前記記憶装置から読み出して、該スクリーンデータと該描画オブジェクトとを合成して前記表示装置に表示する表示手段とを有することを特徴とする情報処理装置が提供される。
【手続補正３】
【補正対象書類名】明細書
【補正対象項目名】０００９
【補正方法】変更
【補正の内容】
【０００９】
また、請求項２記載の発明によれば、前記情報処理装置が、任意のキャプチャデータを構成する描画オブジェクトに対して編集が行われたとき、該編集と同一の編集が行われるべき範囲として、前記順位情報に基づき指定された検索対象範囲を受け取る受取手段と、前記記憶装置に保存されたキャプチャデータのうち、前記受取手段によって受け取られた検索対象範囲内にあるキャプチャデータを抽出する抽出手段と、前記抽出手段によって抽出されたキャプチャデータをそれぞれ構成する描画オブジェクトのうち、前記任意のキャプチャデータを構成する描画オブジェクトと類似する描画オブジェクトを検出する検出手段と、前記検出手段によって検出された描画オブジェクトに対して、前記任意のキャプチャデータを構成する描画オブジェクトに対して行われた編集と同一の編集を行う編集手段とを更に有することを特徴とする。
【手続補正４】
【補正対象書類名】明細書
【補正対象項目名】００１０
【補正方法】変更
【補正の内容】
【００１０】
また、請求項５記載の発明によれば、オブジェクトを描画する描画機能を具備するとともに、表示装置に表示されたデータをファイルとして取り込むキャプチャ機能を備えた情報処理装置に適用される描画オブジェクト編集方法において、スクリーンデータと描画オブジェクトとをキャプチャデータとして記憶装置に保存するとともに、キャプチャの時間的順位を示す順位情報を前記キャプチャデータに対応付けて前記記憶装置に保存する保存ステップと、キャプチャデータを指定されると、該指定されたキャプチャデータを構成するスクリーンデータおよび描画オブジェクトを前記記憶装置から読み出して、該スクリーンデータと該描画オブジェクトとを合成して前記表示装置に表示する表示ステップとを有することを特徴とする描画オブジェクト編集方法が提供される。
【手続補正５】
【補正対象書類名】明細書
【補正対象項目名】００１１
【補正方法】変更
【補正の内容】
【００１１】
また、請求項６記載の発明によれば、前記描画オブジェクト編集方法が、任意のキャプチャデータを構成する描画オブジェクトに対して編集が行われたとき、該編集と同一の編集が行われるべき範囲として、前記順位情報に基づき指定された検索対象範囲を受け取る受取ステップと、前記記憶装置に保存されたキャプチャデータのうち、前記受取ステップによって受け取られた検索対象範囲内にあるキャプチャデータを抽出する抽出ステップと、前記抽出ステップによって抽出されたキャプチャデータをそれぞれ構成する描画オブジェクトのうち、前記任意のキャプチャデータを構成する描画オブジェクトと類似する描画オブジェクトを検出する検出ステップと、前記検出ステップによって検出された描画オブジェクトに対して、前記任意のキャプチャデータを構成する描画オブジェクトに対して行われた編集と同一の編集を行う編集ステップとを更に有することを特徴とする。
【手続補正６】
【補正対象書類名】明細書
【補正対象項目名】００６６
【補正方法】変更
【補正の内容】
【００６６】
１  表示装置
２  情報処理装置
３  入力装置（受取手段）
１０  キャプチャデータベース（記憶装置）
１１  保存部（保存手段）
１２  再生部（表示手段）
１３  編集部
１４  編集適用部（編集手段）
１５  検索部（抽出手段、検出手段）